(57)【要約】【課題】  記録マークの後端部分の先細りを無くして、後方エッジの位置が明瞭にされた良好な記録マークを形成することの出来る光ディスク装置を提供することにある。【解決手段】  光ディスクの記録面にレーザ光を照射する光ピックアップと、該光ピックアップを駆動させる駆動回路とを備え、上記レーザ光により光ディスクの記録面に記録マークを形成してデータの記録を行う光ディスク装置において、一続きの記録マークを形成するときに、該記録マークの先端から後端の手前部分を形成する期間に第１ライトレベルとバイアスレベルとのレーザ光が交互に出力され、上記記録マークの後端部分を形成する期間に上記第１ライトレベルよりも高い第２ライトレベルのレーザ光の出力がなされるように設定されている。【選択図】        図２
2005228440.tif 000002
【特許請求の範囲】
【請求項１】
該光ディスクの記録面にレーザ光を照射する光ピックアップと、該光ピックアップを駆動する駆動回路とを備え、上記レーザ光の照射により上記光ディスクの記録面に記録マークを形成してデータの記録を行う光ディスク装置において、
上記光ピックアップにより照射されるレーザ光の出力レベルには、記録面に記録マークを形成可能な第１ライトレベルと、該第１ライトレベルよりも高い第２ライトレベルと、記録マークを消去可能なイレースレベルと、レーザ出力素子の動作特性を一定に保つために出力され記録マークの形成消去に影響を与えないバイアスレベルと、該バイアスレベルより低い第１低レベルとが含まれ、
一続きの記録マークを形成するときに、該記録マークの先端から後端の手前部分を形成する期間に上記第１ライトレベルと上記バイアスレベルとのレーザ光が交互に出力され、上記記録マークの後端部分を形成する期間に上記第２ライトレベルのレーザ光が出力され、その後、レーザ光の出力レベルが上記第１低レベルに落とされるように設定されていることを特徴とする光ディスク装置。
【請求項２】
光ディスクの記録面にレーザ光を照射する光ピックアップと、該光ピックアップを駆動する駆動回路とを備え、上記レーザ光の照射により上記光ディスクの記録面に記録マークを形成してデータの記録を行う光ディスク装置において、
一続きの記録マークを形成するときに、該記録マークの後端部分の形成用に出力されるレーザ光の出力レベルが、該記録マークの先端から後端の手前部分の形成用に出力されるレーザ光の出力レベルよりも高くなるように設定されていることを特徴とする光ディスク装置。
【請求項３】
上記光ピックアップにより照射されるレーザ光の出力レベルには、記録面に記録マークを形成可能な第１ライトレベルと、該第１ライトレベルよりも高い第２ライトレベルと、記録マークを消去可能なイレースレベルと、レーザ出力素子の動作特性を一定に保つために出力され記録マークの消去形成に影響を与えないバイアスレベルとが含まれ、
一続きの記録マークを形成するときに、該記録マークの先端から後端の手前部分を形成する期間に上記第１ライトレベルと上記バイアスレベルとのレーザ光が交互に出力され、上記記録マークの後端部分を形成する期間に上記第２ライトレベルのレーザ光が出力されるように設定されていることを特徴とする請求項２記載の光ディスク装置。
【請求項４】
上記光ピックアップにより照射されるレーザ光の出力レベルには、さらに上記バイアスレベルより低い第１低レベルが含まれ、
上記一続きの記録マークを形成するときに、該記録マークの後端部分を形成する期間に出力されるレーザ光のレベルが上記第２ライトレベルの後に上記第１低レベルに変更されるように設定されていることを特徴とする請求項３記載の光ディスク装置。
【発明の詳細な説明】
【技術分野】
【０００１】
この発明は、光ディスクの記録面に記録マークを形成してデータの記録を行う光ディスク装置に関し、良好な形状の記録マークを形成するための技術に関する。
【背景技術】
【０００２】
例えば、記録型のＣＤ（コンパクトディスク）やＤＶＤ（デジタル多用途ディスク）、青紫レーザ用の光ディスクにおいては、レーザ光の熱により記録面に相変化を生じさせ、それにより記録マークを形成してデータの記録を実現するものがある。
【０００３】
記録型のＣＤやＤＶＤには、その記録面の組成等により、データの消去や書換えが可能なメディア（ＣＤ−ＲＷ，ＤＶＤ−ＲＷ，ＤＶＤ＋ＲＷなど）と一度しか書き込みが出来ないメディア（ＣＤ−Ｒ，ＤＶＤ−Ｒ，ＤＶＤ＋Ｒなど）とがあり、また、記録マークの生成に関わる特性が異なる複数種類のメディア（例えば、ＤＶＤ−Ｒ，ＲＷとＤＶＤ＋Ｒ，ＲＷ）がある。
【０００４】
記録マークを形成する際、レーザ光を同一の強度で所定区間照射して記録マークを生成した場合、図４（ａ）に示すように、記録マークの後端部分に先細りの尻尾のような痕跡Ｘ１が形成されることがある。
【０００５】
また、図４（ｂ）に示すように、ＤＶＤ−ＲＷの記録に用いられる一般的なレーザ出力波形として、記録マークを形成するピークレベルと、記録マークの形成消去に影響を与えないバイアスレベルとを交互に繰り返すマルチパルスの出力波形が用いられた場合でも、記録マークの後端部分に先細りの尻尾のような痕跡Ｘ２が形成されることがある。
【０００６】
このような先細りの痕跡は、データ再生時に再生信号のＳ／Ｎ比の低下や再生信号のジッタとして現れるため好ましくない。
【０００７】
従来、このような記録マークの先端や後端の先細りを無くして、前方エッジと後方エッジとが明確にされた良好な記録マークを生成するために、様々なレーザ出力波形（記録ストラテジとも云う）が提案されている。例えば、特許文献１には周期の短いレーザパルスを精度良く出力する技術が、特許文献２には記録マークの先頭部分の先細りを減少させるために先頭部分のレーザ光のパルスレベルを大きくする技術が提案されている。また、特許文献３と４には、記録マークの後端部分の先細りを減少するため、図４（ｃ）に示すように、記録パルスの最後にバイアスレベルより低い出力Ｗ１を行って後端部分が急速に冷却されるようにする技術が提案されている。
【特許文献１】特開平１１−２１３４２８号公報
【特許文献２】特開２００１−２９１２６１号公報
【特許文献３】特開２００１−３５１２３９号公報（第１７ページ、図８（ｄ），（ｅ））
【特許文献４】特開２００３−０８５７５３号公報（第１３ページ、図１７）
【発明の開示】
【発明が解決しようとする課題】
【０００８】
本願の発明者は、ＤＶＤ−ＲＷへの記録に際し、記録マークの後端の先細りを無くして後方エッジを明確にすることのできるレーザ出力波形について検討した。そうしたところ、特許文献３や４に開示の技術では、記録パルスの直後の出力レベルをバイアスレベルより低くすることで、記録マークの後端部分が急速に冷却されて尻尾のように先細りとなる痕跡Ｘ３が減少するが、この痕跡Ｘ３は完全に消すことは出来ず、まだ改善の余地があることが分かった。
【０００９】
また、特許文献３や４に開示の技術では、レーザの出力レベルをバイアスレベルより低くする必要があるため、次のような課題を有することが分かった。すなわち、レーザ出力のバイアスレベルを例えば消費電力の低減のため必要最小限のレベルに設定しているような場合、記録マークの後方エッジの形成時にレーザ出力が必要最小限のレベルより低くなってしまい、その直後に、レーザ出力が不安定になってしまう。
【００１０】
また、バイアスレベルがゼロ又は非常に低く設定されている場合には、レーザの出力レベルをバイアスレベルより低くすることがそもそも困難であり、特許文献３や４の技術を用いることが出来ないという課題もあった。
【００１１】
この発明の目的は、記録マークの後端部分の先細りをほとんど無くして、記録マークの後方エッジを明瞭に読み取ることが可能な良好な記録マークを形成することの出来る光ディスク装置を提供することにある。
【００１２】
この発明のその他の目的は、バイアスレベルが低く設定されている場合でも、記録マークの後端部分の先細りを無くして後方エッジが明確にされた良好な記録マークを形成可能な光ディスク装置を提供することにある。
【課題を解決するための手段】
【００１３】
本発明は、上記目的を達成するため、光ディスクの記録面にレーザ光を照射する光ピックアップと、該光ピックアップを駆動する駆動回路とを備え、上記レーザ光の照射により上記光ディスクの記録面に記録マークを形成してデータの記録を行う光ディスク装置において、一続きの記録マークを形成するときに、該記録マークの後端部分の形成用に出力されるレーザ光の出力レベルが、該記録マークの先端から後端の手前部分の形成用に出力されるレーザ光の出力レベルよりも高くなるように設定されている構成とした。
【００１４】
このような手段によれば、記録マークの後端部分を形成するときのレーザ光の出力波形が、高いレベルから例えばバイアスレベル（或はイレースレベルの場合もある）へと移行されるので、後端の出力レベルを高くした分、その前後のレベル差を大きくすることが出来る。そして、この出力レベルの差が大きいことにより、記録マークの後端部分の先細りを無くして後方エッジを明確なものとすることが出来る。
【００１５】
また、記録マークの後端部分を形成するレーザ出力を大きくすることで後方エッジを明確にする方式なので、バイアスレベルが低く設定され、バイアスレベルより低いレベルの出力が難しいような場合でも、何ら問題なく本発明の方式を適用することが出来る。
【００１６】
なお、記録マークの後端部分におけるレーザ光の出力レベルを高くしてその直後とのレベル差を大きくすることで記録マークの後方エッジが明確になる理由は次の如くである。すなわち、後端部分のレーザ光の出力が大きくなることで、該レーザ光の照射により生じた熱量が大きくなって、この熱が照射位置の前後に拡散する熱干渉が大きくなる。さらに、この熱干渉により記録マークが後方に広がるものの、その広がり方は先細りという形ではなく、熱量が大きいことで幅方向にも放射状に広がる。一方、直後のレーザ出力は相対的に低いレベルとなるので、その影響は上記の熱干渉にかき消されて記録マークへの影響がほとんど見えないものとなる。従って、記録マークの後端部分はやや幅広になるものの、尻尾のように先細りとなるマークは形成されず、後方エッジの位置が明確なものとなる。
【００１７】
ここで、具体的には、上記光ピックアップにより照射されるレーザ光の出力レベルには、記録面に記録マークを形成可能な第１ライトレベルと、該第１ライトレベルよりも高い第２ライトレベルと、記録マークを消去可能なイレースレベルと、レーザ出力素子の動作特性を一定に保つために出力され記録マークの消去形成に影響を与えないバイアスレベルとが含まれ、一続きの記録マークを形成するときに、該記録マークの先端から後端の手前部分を形成する期間に上記第１ライトレベルと上記バイアスレベルとのレーザ光が交互に出力され、上記記録マークの後端部分を形成する期間に上記第２ライトレベルのレーザ光が出力されるように設定されていると良い。
【００１８】
このような構成により、記録マークの後端部分を形成する際にレーザ出力を高くする制御も容易に実現できる。
【００１９】
さらに、上記光ピックアップにより照射されるレーザ光の出力レベルには、さらに上記バイアスレベルより低い第１低レベルが含まれ、上記一続きの記録マークを形成するときに、該記録マークの後端部分を形成する期間に出力されるレーザ光のレベルが上記第２ライトレベルの後に上記第１低レベルに変更されるように設定しておいても良い。
【００２０】
このような構成に従うと、バイアスレベルより低い出力が可能な場合に、後端部分を形成するレーザ出力とその直後とのレベル差をより大きくすることが出来るので、記録マークの後方エッジをより明確にすることが出来る。
【００２１】
また、上述の構成は、特に、データを記録する光ディスクとしてＤＶＤ−ＲＷのメディアを対象とした場合に有効なものである。
【発明の効果】
【００２２】
以上説明したように、本発明に従うと、記録マークの後端部分の先細りをほとんど無くして、記録マークの後方エッジを明確にすることが出来る。それにより、データ再生時に再生信号のＳ／Ｎ比の向上および再生信号のジッタの低減を図ることが出来る。
【００２３】
また、例えばバイアスレベルが低く設定され、それ以下の出力レベルを実現し難い場合でも、本発明の方式ではバイアスレベルよりも低い出力レベルを必要としないので、問題なく本発明の方式を適用して記録マークの後方エッジを明確にすることが出来る。
【発明を実施するための最良の形態】
【００２４】
以下、本発明の実施の形態を図１〜図３の図面に基づいて説明する。
〔第１の実施の形態〕
図１は、本発明の実施の形態の光ディスク装置の回路構成を示すブロック図である。
【００２５】
この実施の形態の光ディスク装置は、例えばＤＶＤ−ＲＷの光ディスクに対してデータの記録と再生とを行う装置であり、光ディスクＤを回転させるモータ１１と、レーザ出力手段としての半導体レーザや種々の光学系を搭載し光ディスクＤの記録面にレーザ光を照射したりその反射光を検出したりする光ピックアップ１２と、光ピックアップ１２の半導体レーザを駆動するレーザ駆動回路２１と、半導体レーザの出力パターンとなる記録パルスを生成する記録パルス生成回路と、データ再生時の信号処理を行う再生処理回路２３と、モータ１１や光ピックアップ１２の対物レンズを駆動制御するサーボ制御回路２４と、これらの回路を統括的に制御するコントローラ２５とを備えている。
【００２６】
このような構成によれば、データの記録時に、別設されたマイクロコンピュータ等からコントローラ２５に記録データが送られ、この記録データに基づき記録パルス生成回路２２で記録パルスが生成されて、該記録パルスに従って光ピックアップ１２の半導体レーザが駆動される。そして、この駆動により出力されるレーザ光が光ディスクの記録面に照射されて記録マークが形成されるようになっている。他方、データの再生時には、半導体レーザからリードレベルの出力がなされて光ディスクの記録面に照射されるとともに、その反射光の検出信号が再生処理回路２３で２値化されてコントローラ２５を介して再生データとして出力されるようになっている。
【００２７】
図２には、上記の光ディスク装置におけるデータ記録時のレーザ出力波形の一例を表したタイムチャートを示す。
【００２８】
この実施の形態においては、上記記録データ（ライトデータ）に基づき記録パルス生成回路２２で生成される記録パルスは、図２に示すものである。
【００２９】
先ず、記録パルスに含まれる各信号のレベルについて説明する。記録パルスのレベルには、光ディスクの記録面を溶解して結晶状態にするイレースレベル、イレースレベルよりも高く記録面を溶解してアモルファス状態にする第１ライトレベル、第１ライトレベルよりも高い（例えば第１ライトレベルの１２０％〜１５０％）第２ライトレベル、半導体レーザの動作特性を一定に保つために出力されるとともに記録面に影響を与えないバイアスレベルとが含まれる。
【００３０】
次に、波形について説明する。記録パルスのレベルは、先ず、ライトデータがロウレベルの期間においてイレースレベルとされる。それにより、以前に記録されていたアモルファス状態の記録マークが結晶状態に戻されて消去される。
【００３１】
ライトデータがハイレベルとなって記録マークを形成する期間には、先ず、第１ライトレベルとバイアスレベルの出力が交互に繰り返されるマルチパルス出力が行われて記録マークが形成されていく。具体的には、マルチパルスのうち先頭の第１ライトレベルの出力は、ライトデータがハイレベルになってからライトクロックで１周期分遅れて出力される。これは、その手前のイレースレベルの出力により温められていた部分にこの先頭パルスの熱が伝導されて記録マークが前方に張り出されるからである。そして、これにより、ライトデータの立上りエッジと記録マークの前方エッジとが対応される。その後は、マルチパルスによりほぼ等幅の記録マークが形成されていく。
【００３２】
ライトデータがロウレベルになる立下りエッジの手前では、マルチパルスの最終パルスとして第１ライトパルスよりも高い第２ライトパルスが出力される。また、その後、バイアスレベルの出力が所定期間行われる。このように第２ライトパルスが出力されることで、その直後のバイアスレベルの出力とのレベル差が大きくなり、このレベル差により記録マークの後端部分の先細りが無くなり記録マークの後方エッジが明確なものとなる。この理由は課題を解決するための手段の箇所で説明した通りである。
【００３３】
なお、上記の第２ライトレベルの出力により記録マークの後端部分に加えられる熱量が増し、この熱量が周囲に広がる熱干渉の量も大きくなるので、記録マークの後方エッジは第２ライトレベルの立下りエッジのタイミングに対応する位置よりも後方にシフトする。従って、その分、第２ライトレベルの出力タイミングは前方にシフトされるように補正処理される。また、最後のバイアスレベルの出力期間は、以前に形成されていた記録マークが消されずに残るといったことがないように、第２ライトレベルの熱干渉により以前に形成された記録マークが消去される間隔よりも短く設定されている。
【００３４】
以上のように、この実施の形態の光ディスク装置によれば、記録マークの後端部分の先細りを無くして後方エッジを明確なものとすることが出来るので、データ再生時における再生信号のＳ／Ｎ比の向上および再生信号のジッタの低減を図ることが出来る。
【００３５】
また、この実施の形態では、記録マークの後端部分を形成するレーザ出力を大きくすることで後方エッジを明確にする方式なので、バイアスレベルが低く設定され、バイアスレベルより低いレベルの出力が難しいような場合でも、何ら問題なく本方式を適用して記録マークの後方エッジを明確にすることが出来る。
〔第２の実施の形態〕
図３は、本発明の第２の実施の形態に係るデータ記録時のレーザ出力波形の一例を表したタイムチャートである。
【００３６】
この第２の実施の形態は、記録マークを形成するレーザ出力波形の一部のみが第１の実施の形態と異なるものである。従って、異なる点についてのみ説明を行う。
【００３７】
この第２の実施の形態においては、図３に示すように、記録マークの後端部分を形成するのに、第２ライトレベルの出力を行った後に、バイアスレベルよりも低い第１低レベル（ゼロ出力でも良い）の出力を行って記録マークの後端の冷却効率を高めるようにしている。
【００３８】
このような構成によれば、記録マークの後端部分におけるレーザ出力のレベル差がより大きくなるので、それにより記録マークの後端部分の先細りを無くして後方エッジをより明確なものとすることが出来る。そして、それにより、データ再生時における再生信号のＳ／Ｎ比の向上および再生信号のジッタの低減を図ることが出来る。
【００３９】
なお、本発明は、上記実施の形態に限られるものではなく、様々な変更が可能である。例えば、実施の形態では記録パルスとしてマルチパルスの波形を採用しているが、マルチパルスでなくライトレベルの出力が連続的に行われ、その最後にこのライトレベルよりも高い第２ライトレベルの出力がなされるようにしても良い。
【００４０】
また、上記実施の形態では、ＤＶＤ−ＲＷのメディアを対象としているため、記録パルスの最後にバイアスレベルの出力期間を設けているが、例えばＤＶＤ＋ＲＷのメディアを対象とする場合には、図２と図３の一点鎖線Ｂ１，Ｂ２で示すように、第２ライトレベルの出力後にイレースレベルとしたり（図２）、第２ライトレベルの出力後にイレースレベルより低い第２低レベルの出力を行い、その後にイレースレベルに戻す（図３）と云った出力波形にしても良い。
【産業上の利用可能性】
【００４１】
この発明は、ＤＶＤ−ＲＷにデータの記録を行う光ディスク装置のほか、ＤＶＤ−Ｒ、ＤＶＤ＋ＲＷ、ＤＶＤ＋Ｒ、ＣＤ−Ｒ、ＣＤ−ＲＷなどのメディアを対象とした光ディスク装置、さらに、青紫レーザ用の光ディスクを対象とした光ディスク装置に利用することが出来る。
【図面の簡単な説明】
【００４２】
【図１】本発明の実施の形態の光ディスク装置の回路構成を示すブロック図である。
【図２】本発明の第１の実施の形態に係るレーザ出力波形を示すタイムチャートである。
【図３】本発明の第２の実施の形態に係るレーザ出力波形を示すタイムチャートである。
【図４】従来の光ディスク装置におけるレーザ出力波形とそれにより形成される記録マークとを示した図である。
【符号の説明】
【００４３】
１２    光ピックアップ
２１    レーザ駆動回路
２２    記録パルス生成回路
Ｄ      光ディスク
Ｐ      記録パルス
【図１】
2005228440.tif 000003
【図２】
2005228440.tif 000004
【図３】
2005228440.tif 000005
【図４】
2005228440.tif 000006